(57)【要約】【課題】  眼科撮影装置の撮像部として外付けのカメラを使用する場合、操作中に誤って接続ケーブルや外付けカメラの着脱ボタン、操作ダイヤル等に触らないように保護し、接続不良、意図せぬ撮影条件変更などの誤動作を防ぐ。【解決手段】  着脱可能な外付けカメラを使用する眼科撮影装置において、接続ケーブルやコネクタが抜けることを防ぐと同時に着脱ボタン、操作ダイヤルに触れ誤動作を生じないように操作部を覆う形状をもつカバーを設ける。【選択図】  図３
2008119201.tif 000002
【特許請求の範囲】
【請求項１】
披検眼を撮影するための光学系を有する光学筐体と、該光学筐体に着脱可能に取り付けられる撮像手段と、該撮像手段と前記光学筐体との着脱のロックを行うロック操作部と、該撮像手段に接続する接続ケーブルとを有する眼科撮影装置において、
前記ロック操作部と前記接続ケーブルの前記撮像手段側のコネクタを覆う安全カバーを前記撮像手段に取り付け可能であることを特徴とする眼科撮影装置。
【請求項２】
披検眼を撮影するための光学系を有する光学筐体と、該光学筐体に着脱可能に取り付けられる撮像手段と、該撮像手段を操作する撮像手段操作部と、該撮像手段に接続する接続ケーブルとを有する眼科撮影装置において、
前記撮像手段操作部と前記接続ケーブルの前記撮像手段側のコネクタを覆う安全カバーを前記撮像手段に取り付け可能であることを特徴とする特徴とする眼科撮影装置。
【請求項３】
前記撮像手段は一眼レフタイプのデジタルカメラであり、かつ前記安全カバーの前記撮像手段への取り付けには、該一眼レフタイプのデジタルカメラの底面に設けられた三脚取り付けねじ部を利用することを特徴とする請求項１または２に記載の眼科撮影装置。
【請求項４】
前記光学筐体は可動であり、前記安全カバーは該光学筐体の操作ノブを兼ねたことを特徴とする請求項１または２に記載の眼科撮影装置。
【請求項５】
前記撮像手段は表示部を備えており、前記安全カバーは前記表示部が視認可能な視認窓を有することを特徴とする請求項１または２に記載の眼科撮影装置。
【請求項６】
前記接続ケーブルが複数であり、前記安全カバーは該複数のケーブルを覆うことを特徴とする請求項１または２に記載の眼科撮影装置。
【発明の詳細な説明】
【技術分野】
【０００１】
本発明は、例えば、眼科医院等で使用され、網膜など眼底部の撮像を行う眼底カメラのような眼科撮影装置に関するものである。
【背景技術】
【０００２】
眼底カメラには、例えば特許文献１のように本体部にカメラマウントを装備し一眼レフカメラなど着脱可能な外付けカメラを取り付けて画像撮影部として用いるものがある。
【０００３】
このような眼底カメラでは、操作中にあやまって着脱ボタンを押してしまうと外付けカメラがはずれ適切な撮影ができなくなるおそれがある。これを防ぐために、例えば特許文献２の内視鏡の例では、外付けカメラの着脱レバーにロック機構を設け不用意にカメラが外れないようにしている。
【０００４】
また、外付けカメラには着脱ボタンの他にも設定の変更をするための操作ダイヤルやシャッター等があり、これらをあやまって操作すると撮影条件の設定が変更されてしまう、誤動作してしまう、などのおそれがある。これを防ぐためにそれぞれの操作部にロック機構を配備することが考えられる。
【０００５】
また、特許文献１のような眼底カメラでは眼底カメラと外付けカメラをケーブル等により接続し、レリーズ動作の制御信号などの通信を行っている。近年多く用いられるデジタルカメラを使用する場合には、画像転送のためのケーブルなどさらに多くのケーブルが接続されている。この接続ケーブルを操作者があやまってはずしてしまうと制御信号や画像データの通信が正しく行われず、エラーが発生するおそれがある。これを防ぐためにケーブルのコネクタ部が抜けることがないようなロック等を配備することが考えられる。
【特許文献１】特開２００６−０４２９２２号公報
【特許文献２】特開平１１−００９５４９号公報
【発明の開示】
【発明が解決しようとする課題】
【０００６】
しかしながら、上述の誤操作を防ぐためのロック機構を配備し、ケーブルが抜けないようにコネクタを覆う安全カバーを取り付けることは、装置の小型化、簡素化を行うための障害になっていた。
【０００７】
そこで本発明では、装置を大型化・複雑化することなく、ケーブル及びコネクタ抜けを防ぐと同時に、外付けカメラ操作部の誤操作を防ぐための安全カバーを持つ眼底カメラを提供することを課題とする。
【課題を解決するための手段】
【０００８】
上述した目的を達成するために、本願発明によれば、披検眼を撮影するための光学系を有する光学筐体と、該光学筐体に着脱可能に取り付けられる撮像手段と、該撮像手段と前記光学筐体との着脱のロックを行うロック操作部と、該撮像手段に接続する接続ケーブルとを有する眼科撮影装置において、前記ロック操作部と前記接続ケーブルの前記撮像手段側のコネクタを覆う安全カバーを前記撮像手段に取り付け可能であることを特徴とする眼科撮影装置を提供する。
【発明の効果】
【０００９】
本発明に係る眼科撮影装置は、ケーブルのコネクタを外してしまい眼底画像を取得できなくなるといった問題を回避することができると同時に誤ってロック操作部を操作してしまい撮像手段を動かしてしまう、といった誤動作を防ぐことが出来る。また、ロック操作部を覆う形状になっているので第三者によって高価な撮像手段の盗難されることのないように盗難防止効果ももつ。
【００１０】
また、接続ケーブルのコネクタを外してしまい眼底画像を取得できなくなるといった問題を回避することができると同時に撮像手段操作部の操作ダイヤルを誤って操作して色調などが適正でない画像を取得したり、レリーズスイッチを誤って押して不正画像を取得したりして撮影のやり直しをやることがなくすことが出来る。
【００１１】
また、撮像手段に新たに取付用の加工をする必要がないので安価で、且つ確実に安全カバーを取付けることができる。
【００１２】
また、チルト・パンニング操作等の光学筐体可動操作を手元で出来るので検者は手を伸ばす必要がなくなり操作性が向上する。また、操作用のノブを設ける必要がなくなる。
【００１３】
また、検者は撮像手段の撮影条件や撮像手段の状態を容易に確認することができる。
【００１４】
また、コネクタが撮像手段から外れて適正な画像が取得できなくなる、という問題を回避することが出来る。また、複数のケーブルを一つの安全カバーで覆うので個別にカバーを設ける必要がなく安価に安全を確保することができる。
【発明を実施するための最良の形態】
【００１５】
（第１の実施形態）
本発明について眼底カメラを例にとり、図示の実施形態に基づいて詳細に説明する。図１は説明のために図３（ａ）、（ｂ）に示す安全カバー２１を外した状態であり、着脱可能な撮像手段１として例えば一眼レフデジタルカメラが装着された眼底カメラＡである。
【００１６】
眼底カメラＡは撮像手段１が装着され、フォーカスノブ１１、ファインダ１２を備えた光学筐体２、可動ステージ部３、制御部と電源ユニットを含めた土台部４、被検者が顔をのせる顔受けユニット５から構成されている。
【００１７】
光学筐体２とステージ部３とは、光学筐体２を被検眼Ｅの瞳を中心として垂直方向、水平方向へ動かすチルティング・パンニング機構部６によって繋がっている。
【００１８】
ステージ部３には被検眼Ｅに対してアライメントするために光学筐体２を動かす操作桿７があり、更に操作桿７には撮影スイッチが設けられている。
【００１９】
撮像手段１と光学筐体２とはマウントを介してメカニカルに装着されているだけでなく、レリーズ動作の制御信号などの通信を行うコネクタ付ケーブル８、９、画像転送を行うケーブル１０が接続されている。
【００２０】
土台部４はケーブル１３を介してコンピュータ１４と接続されている。
【００２１】
図２は同じく安全カバー２１を外した状態で光学筐体２と、接続されている撮像手段１の詳細図である。
【００２２】
装着された撮像手段１を光学筐体２から外す場合には、着脱操作を行う際に使用するロック操作部２０を押して撮像手段１を回転させる構造になっている。
【００２３】
図３（ａ）、（ｂ）は安全カバー２１を取付けた図である。この安全カバー２１の形状について述べる。
【００２４】
安全カバー２１は図示しない撮像手段１にある三脚用取付ねじ部を利用して撮像手段１に取付けられている。
【００２５】
検者は観察アングルやアライメント、ピント合わせは通常ファインダ１２を覗きながら行う。そのため、ノブ１３やフォーカスノブ１１を操作しようとした際に不注意によりコネクタ付ケーブル８、９、１０又はそのコネクタに触れてしまいコネクタを外してしまう危険性がある。また、間違ってロック操作部２０を押してしまい、撮像手段１が外れないまでも回転してしまう危険性がある。
【００２６】
本実施の形態では、そのいずれのことも発生しないように安全カバー２１は撮像手段１の一部を覆うだけでなくコネクタ付ケーブル８、９、１０とそのコネクタ部及びロック操作部２０をも覆う形状になっている。
【００２７】
更に、安全カバー２１の一部であるＸ部を太くしてグリップ形のノブ形状になっている。これは検者がチルティング・パンニング動作する際に手元でこのＸ部を握って容易に動作することを目的としているためである。これによりチルティング・パンニング用のノブを設ける必要がなくなる。
【００２８】
一般的な操作手順を述べると、検者は被検眼Ｅの眼底を覗きながら操作桿７を操作してアライメントを行う。そして安全カバー２１のグリップＸ部を握り、所望の観察・撮影アングルを得るようにチルティング・パンニング機構部６により光学筐体２を動かした後、再度アライメントを合わせ直し、フォーカスノブ１１で眼底にピントを合わせる。そして最後に撮影スイッチを押す。
【００２９】
撮影スイッチが押されると、撮影開始信号がコネクタ付ケーブル８を通じて撮像手段１に送られる。撮像手段１は内部ミラを跳ね上げ撮影準備が完了するとコネクタ付ケーブル９を介して眼底カメラＡに撮影準備完了信号を送り返す。眼底カメラＡは撮影準備完了信号を受取ると、図示しない光学筐体２内の跳ね上げミラを動かし、ストロボ光を発光する。ストロボ光によって照明された眼底の反射光が撮像手段１上に結像し、画像が取得される。取得された画像はコネクタ付ケーブル１０を介して眼底カメラＡに転送され、更にケーブル１３によりコンピュータ１４に転送され、記憶、表示される。
【００３０】
この一連の操作の中で上述した安全カバー２１の形状により、検者は安全カバー２１を使ってチルティング・パンニング操作を行い、且つフォーカスノブ１１を操作したり、或いは被検者の瞼を上げるために手を伸ばす時にもコネクタ付ケーブル８、９、１０とそのコネクタ部に触れることはない。
【００３１】
また、安全カバー２１は撮像手段１のより広い範囲を覆う形状にし、撮像手段１の表示部を検者が視認できるように表示部は開口、又は視認可能な程度まで透明にした視認窓を設けた形状にしてもよい。
【００３２】
（第２の実施形態）
第２の実施の形態について述べる。撮像手段１と眼底カメラＡ、コンピュータ１４との関係は第１の実施の形態と同様である。
【００３３】
図４は着脱可能な撮像手段１として一般の風景撮影等に利用されている一眼レフデジタルカメラと、一眼レフデジタルカメラの三脚用取付ネジ部を用いて安全カバー４０を取付けられたときの図である。図４において、安全カバー４０の一部は、安全カバー４０に設けられたヒンジ４１によって開いた状態となっている。
【００３４】
撮像手段１は表示部３０、３１と撮影モードを始めとする撮影条件等を設定するための操作ダイヤル３２、操作ボタン３３、レリーズボタン３４といった撮像手段操作部から構成されている。
【００３５】
撮像手段１は、一般に風景画や人物画を撮影する時には明るさや被写体によって撮影条件を変える必要がある。一方、眼底カメラにおいては被写体が眼底であるので予め最適な撮影条件を設定しておくことが可能であるので検者は撮影条件設定部を操作する必要は基本的にない。
【００３６】
しかしながら撮影条件が眼底撮影条件と異なっていないか、或いは撮像手段の状態を表示部３０、３１によって確認する必要はある。
【００３７】
従って安全カバー４０の形状は図５にあるように接続されるコネクタ付ケーブル８、９、１０とそのコネクタ部を覆うだけでなく、撮像手段操作部である操作ダイヤル３２、操作ボタン３３及びレリーズボタン３４を覆う。さらに表示部３０、３１のある場所のみは検者が表示内容を確認できるように視認窓を設け開口している。そして上述したようにカバー４０にはヒンジ４１が設けられており安全カバー４０の一部が開閉可能な形状になっている。
【００３８】
そして、安全カバー４０を閉じることにより検者は表示部３０、３１を通して情報確認を行える。一方で、操作ダイヤル３２、操作ボタン３３に触れて撮影条件が変わったり、レリーズボタン３４を押してしまって適正でない眼底画像を取得してしまったりすることなく眼底撮影が出来る。
【００３９】
また、ヒンジ４１により安全カバー４０の一部が開閉可能な形状になっているのは検者が撮影条件を変更したいという時の為である。例えば検者が画像取得からコンピュータ１４で眼底像を表示する時間を短縮したい、或いはスクリーニング目的であり詳細な画像は必要ない、といった理由から画像サイズを例えばＬａｒｇｅ  Ｆｉｎｅ  からＳｍａｌｌ  Ｆｉｎｅに変更したいと考えた際に、ヒンジ４１を使ってカバー４０の一部を開き操作ダイヤル３２、操作ボタン３３を適宜操作して撮影条件を変更出来る。
【００４０】
また、カバー４０の一部であるＸ部をグリップ状のノブにしてチルティング・パンニング操作部を兼ねるような形状にしてもよい。
【００４１】
表示を視認可能なように視認窓を本実施例では開口するようにしたが、これは表示部が視認可能な程度まで透明にした形状になっていてもよい。
【図面の簡単な説明】
【００４２】
【図１】眼底カメラＡと撮像手段及びコンピュータを表す図である。
【図２】光学筐体と接続されている撮像手段の詳細図である。
【図３】安全カバーを取付けた図である。
【図４】安全カバーを開けた状態を表す図である。
【図５】安全カバーを閉じた状態を表した図である。
【符号の説明】
【００４３】
１  撮像手段
２  光学筐体
３  ステージ部
４  土台部
５  顔受けユニット
６  チルティング・パンニング機構部
７  操作桿
８、９、１０、１３  ケーブル
１１  フォーカスノブ
１２  ファインダ
１４  コンピュータ
２０  ロック操作部
２１  安全カバー
３０、３１  表示部
３２  操作ダイヤル
３３  操作ボタン
３４  レリーズボタン
４０  安全カバー
４１  ヒンジ
【図１】
2008119201.tif 000003
【図２】
2008119201.tif 000004
【図３】
2008119201.tif 000005
【図４】
2008119201.tif 000006
【図５】
2008119201.tif 000007